(57)【要約】      （修正有）【課題】仕切板を熱交換器の側板に固定する際、ネジ止めの作業性を向上させた空気調和機の室外機を提供する。【解決手段】熱交換器５０の機械室側の端部に設けられた側板５２は、板状の伝熱管取付部５４と、伝熱管取付部５４の前面側を熱交換器５０側に曲げた第１フランジ５５とを備え、伝熱管取付部５４は、第１上部５４ａと第１下部５４ｂを有し、第１下部５４ｂの幅は第１上部５４ａの幅よりも広くなるように形成され、第１フランジ５５は、第１上部５４ａに連なる第２上部５５ｄから第１下部５４ｂに連なる第２下部５５ｅに向けて傾斜する第１傾斜面部５５ａを備え、第１傾斜面部５５ａにネジ孔５５ｂが形成され、仕切板３は、背面側を機械室側に曲げて形成された背面部３ｄを備え、背面部３ｄには第１傾斜面部５５ａに重なるように傾斜させた第２傾斜面部３ｅを備え、第２傾斜面部３ｅのネジ孔５５ｂに対応する位置にネジ挿通孔３ｆが形成される。【選択図】図５
2015055464.tif 000002
【特許請求の範囲】
【請求項１】
底面にベースを有する筺体の内部を前記ベースに立設される仕切板によって機械室と送風機室とに区画し、同送風機室内の背面側に熱交換器を備え、少なくとも前記熱交換器の前記機械室側の端部に設けられ前記熱交換器を前記ベースに固定する側板を備え、同側板に前記仕切板を固定する空気調和機の室外機において、
前記側板は、板状の伝熱管取付部と、同伝熱管取付部の前面側を前記熱交換器側に曲げた第１フランジと、前記伝熱管取付部の背面側を前記熱交換器側に曲げた第２フランジとからなり、
前記伝熱管取付部は、第１上部と第１下部を有し、前記第１下部の幅は前記第１上部の幅よりも広くなるように形成され、
前記第１フランジは、前記第１上部に連なる第２上部と前記第１下部に連なる第２下部と、前記第２上部から前記第２下部に向けて傾斜する第１傾斜面部を備え、同第１傾斜面部にネジ孔が形成され、
前記仕切板は、背面側を前記機械室側に曲げて形成された背面部を備え、同背面部には前記第１傾斜面部に重なるように傾斜させた第２傾斜面部を備え、同第２傾斜面部の前記ネジ孔に対応する位置にネジ挿通孔が形成されることを特徴とする空気調和機の室外機。
【請求項２】
前記第１フランジの前記第２下部には、上方に突出するように形成した係止爪が設けられ、
前記背面部は前記係止爪に対応する位置に前記係止爪を係止するための係止孔を備えたことを特徴とする請求項１記載の空気調和機の室外機。
【発明の詳細な説明】
【技術分野】
【０００１】
本発明は、空気調和機の室外機に係わり、より詳細には、仕切板を熱交換器の側板に固定する構造に関する。
【背景技術】
【０００２】
従来の空気調和機の室外機は、室外機本体内を機械室と送風機室とに区画する仕切板と、送風機室に設けられた熱交換器とがベースに立設される。仕切板は上縁を機械室側に折り曲げて形成した上面部を有し、その上面部には電装品箱が一体化された支持部材が載置されている。
【０００３】
熱交換器は機械室側を側板で支えることでベースに固定され、その側板には前側縁部を熱交換器側にＬ字状に折り曲げて形成したフランジを備えており、仕切板は後側縁部を機械室側に折り曲げて形成した背面部を備えている。
以上の構成からなる空気調和機の室外機は、仕切板の背面部を熱交換器の側板のフランジにネジ止めすることにより、仕切板を熱交換器の側板に固定する構造になっている（例えば、特許文献１参照）。
【０００４】
しかしながら、従来の空気調和機の室外機は、仕切板を熱交換器の側板に固定する際、仕切板の背面部を熱交換器の側板のフランジに位置合わせし水平方向からネジ止めするため、ネジ孔が見難く、仕切板、熱交換器の側板のばらつきによっては、ネジ孔が合わずに作業がし難い構造であった。
【先行技術文献】
【特許文献】
【０００５】
【特許文献１】特開２０１２−２３３６１３号公報
【発明の概要】
【発明が解決しようとする課題】
【０００６】
本発明は上記問題点に鑑み、仕切板を熱交換器の側板に固定する際、ネジ止めの作業性を向上させる空気調和機の室外機を提供することを目的とする。
【課題を解決するための手段】
【０００７】
上記課題を解決するため、本発明の空気調和機の室外機は、底面にベースを有する筺体の内部をベースに立設される仕切板によって機械室と送風機室とに区画し、送風機室内の背面側に熱交換器を備え、少なくとも熱交換器の機械室側の端部に設けられ熱交換器をベースに固定する側板を備え、側板に仕切板を固定するものにおいて、側板は、板状の伝熱管取付部と、伝熱管取付部の前面側を熱交換器側に曲げた第１フランジと、伝熱管取付部の背面側を熱交換器側に曲げた第２フランジとからなり、伝熱管取付部は、第１上部と第１下部を有し、第１下部の幅は第１上部の幅よりも広くなるように形成され、第１フランジは、第１上部に連なる第２上部と第１下部に連なる第２下部と、第２上部から第２下部に向けて傾斜する第１傾斜面部を備え、第１傾斜面部にネジ孔が形成され、仕切板は、背面側を機械室側に曲げて形成された背面部を備え、背面部には第１傾斜面部に重なるように傾斜させた第２傾斜面部を備え、第２傾斜面部のネジ孔に対応する位置にネジ挿通孔が形成されることを特徴とする。
【発明の効果】
【０００８】
本発明の空気調和機の室外機によれば、仕切板の上端部の第２傾斜面部には、側板の第１傾斜面部に形成されたネジ孔に対応する位置にネジ挿通孔が形成されることで、ネジ孔およびネジ挿通孔を上方斜め方向から目視で確認してネジ止めすることができる。
これにより、ネジ孔およびネジ挿通孔が見易く、仕切板、熱交換器の側板にばらつきがあっても、ネジ孔とネジ挿通孔の位置合わせが簡単にでき、仕切板を熱交換器の側板に固定する際、ネジ止めの作業性を向上させることができる。
【図面の簡単な説明】
【０００９】
【図１】本発明による室外機の正面図である。
【図２】本発明による室外機の背面図である。
【図３】本発明による室外機のベース、熱交換器および仕切板のみを機械室上方より見た図である。
【図４】本発明による仕切板の周辺を取り巻く一部の部品を送風機室上方より見た図である。
【図５】図３のＸ部の熱交換器と仕切板を分解した拡大分解図である。
【発明を実施するための形態】
【００１０】
以下、本発明の実施の形態を、添付図面に基づいた実施例として詳細に説明する。なお、本実施例は一実施例にすぎないもので、本発明の実施形態は本実施例に限定されるものではない。
【実施例１】
【００１１】
本発明による空気調和機の室外機は、例えば、商業施設などに設置され、大型の熱交換器を搭載した大型の室外機や２〜３台の室内機を冷媒配管を介して接続する大型の空気調和機に用いられるものである。
【００１２】
室外機１は、図１、図２に示すように、外郭を構成する筺体１０は直方体形状であり、ベース１１と、ベース１１に立設された前面パネル２と、設置時やメンテナンス時には取り外すことができるメンテナンスパネル１２ａおよび背面パネル１２ｂと、前面パネル２とメンテナンスパネル１２ａと背面パネル１２ｂとの天井を覆う天板１３とからなる。これらは鋼板材をプレス加工して形成される。
前面パネル２には送風ファン５１から吹き出される空気を吹き出す吹出口１４が開口し、この吹出口１４はファンガード１５で覆われている。
メンテナンスパネル１２ａと背面パネル１２ｂは右側面で分かれ、図２に示すように、背面パネル１２ｂは背面側まで回り込み、後述する機械室４に外気を取り込む吸気孔１６が設けられている。
【００１３】
尚、以下、図１において、前面パネル２とメンテナンスパネル１２ａのある面を前面とし、前面から見て前面パネル２側の側面を左側面とし、メンテナンスパネル１２ａ側の側面を右側面とし、図２において背面パネル１２ｂの吸気孔１６のある面を背面とし、天板１３のある面を天面とし、ベース１１のある面を底面として説明する。尚、筺体１０の左側面と背面の角隅は支柱１７により支えられている。
【００１４】
筺体１０の内部は、図３、図４に示すように、ベース１１に仕切板３を立設し、図示しない圧縮機およびアキュムレータが設けられた機械室４と、熱交換器５０および送風ファン５１が設けられた送風機室５とに区画されている。仕切板３の高さは室外機１の中ほどまであり、この仕切板３の上端部３ｋには電装品箱支持板３０が載置される。本実施例においては、仕切板３と電装品箱支持板３０で筺体１０の内部を区切っているが、仕切板３と電装品箱支持板３０を一体に形成してもよい。
【００１５】
仕切板３は、図示しない圧縮機やアキュムレータの形状に合わせて、上面視でくの字形になるように、前面パネル２に対して垂直に配置される第１平面部３ａと第１平面部３ａから機械室４側に折れ曲がる第２平面部３ｂとからなる。第１平面部３ａの前面側には機械室４側に折れ曲がるように形成された前面側傾斜面部３ｃを備え、この前面側傾斜面部３ｃの前端部３ｃａが前面パネル２と固定されるようになっている。第２平面部３ｂの背面側には熱交換器５０に平行になるように機械室４側に折れ曲げて形成された背面部３ｄを備え、この背面部３ｄが後述する熱交換器５０の側板５２に固定されるようになっている。
【００１６】
電装品箱支持板３０は、底面部３３を有する。底面部３３は、三角形状でなり、仕切板３側の辺から下方に折れ曲がって形成されるフランジ３４を備え、フランジ３４で、仕切板３の上端部３ｋに位置合わせがなされ、底面部３３が載置される。
また、底面部３３は、三角形状の機械室４側の辺から平面部３２が立ち上がる。平面部３２は、仕切板３の前面側傾斜面部３ｃと背面部３ｄのそれぞれの面を上方に延長するように形成された前面側傾斜面部３５と背面側とを結ぶ平面となる。
平面部３２の機械室４側には図示しない圧縮機の上部に図示しない電装部品を備える電装品箱が配置される。また、前面側傾斜面部３５の前端部３５ａが前面パネル２に固定される。
【００１７】
送風機室５内には、図２、図３に示すように、左側面側から背面側の吸込口１８に露出するようにＬ字状の熱交換器５０が配置され、熱交換器５０の少なくとも機械室４側に側板５２が設けられ、側板５２を介して熱交換器５０がベース１１に固定される。また、熱交換器５０の左端（送風機室５側の端）は熱交換器５０の上部と下部に設けた上取付板７１と下取付板７２で前面パネル２に固定される。そして、熱交換器５０と前面パネル２の吹出口１４とを繋ぐ送風路が形成され、送風路内に送風ファン５１が配置される。この熱交換器５０は、筺体１０の内部をベース１１から天板１３の近傍まで延在するとともに前面パネル２の左側面側から背面パネル１２ｂの背面側まで延在する。熱交換器５０の吸込口１８に露出する面は、人の手や足などの接触を防止するガード１９で覆われている。
【００１８】
以上の構成により、送風ファン５１の回転により吸込口１８から吸い込まれた空気は、熱交換器５０で冷媒と熱交換した後に、送風路を通り吹出口１４から外部へ吹き出される。
【００１９】
次に、図５を用いて熱交換器５０の側板５２に仕切板３の背面部３ｄを固定するための構造について具体的に説明する。
側板５２は、上下方向にベース１１から天板１３の近傍まで延在する長さを有し、熱交換器５０の複数の伝熱管５３が取付けられる板状の伝熱管取付部５４と、伝熱管取付部５４の前面側を熱交換器５０側に曲げた第１フランジ５５と、伝熱管取付部５４の背面側を熱交換器５０側に曲げた第２フランジ５６とからなるコ字状に形成され、熱交換器５０の機械室４側の端部５０ａを支えている。
伝熱管取付部５４は、第１上部５４ａと第１下部５４ｂを有し、第１下部５４ｂの幅Ｍが第１上部５４ａの幅Ｌよりも広くなるように形成されている。第１フランジ５５は、伝熱管取付部５４の第１上部５４ａに連なる第２上部５５ｄと、伝熱管取付部５４の第１下部５４ｂに連なる第２下部５５ｅと、第２上部５５ｄから第２下部５５ｅに向けて傾斜する第１傾斜面部５５ａを備え、第１傾斜面部５５ａの中央にネジ孔５５ｂが形成されている。また、第１フランジ５５の第２下部５５ｅには、上方に突出するように係止爪５５ｃが形成されている。
【００２０】
仕切板３の背面部３ｄは、上端部３ｄａに第１傾斜面部５５ａに重なるように傾斜させた第２傾斜面部３ｅを備え、第２傾斜面部３ｅに第１傾斜面部５５ａのネジ孔５５ｂに対応する位置にネジ挿通孔３ｆが形成されている。また、仕切板３の背面部３ｄには、係止爪５５ｃに対応する位置に係止爪５５ｃを係止するための係止孔３ｇが形成されている。
さらに、背面部３ｄの右側面側に第１フランジ５５側に折れ曲がるように形成した第３フランジ３ｈと、係止孔３ｇよりも上部の位置で切欠いて第１フランジ５５側に折れ曲がるように形成した切欠片３ｉとを備えている。第３フランジ３ｈを伝熱管取付部５４に重ね合わせ、切欠片３ｉを第２下部５５ｅの左端部５５ｅａに当接させることで、側板５２に対し仕切板３の左右位置が位置決めされる。
【００２１】
以上の構成により、側板５２に仕切板３の背面部３ｄを固定するには、図５に示す点線矢印のように、まず、仕切板３の係止孔３ｇを側板５２の係止爪５５ｃに上方から係止させる。次に、仕切板３の第３フランジ３ｈを側板５２の伝熱管取付部５４に重ね合せ、仕切板３の切欠片３ｉを側板５２の第２下部５５ｅの左端部５５ｅａに当接させる。次に、仕切板３の第２傾斜面部３ｅを側板５２の第１傾斜面部５５ａに位置合わせする。最後に、ネジ孔５５ｂおよびネジ挿通孔３ｆを通じてネジ３ｊを締めることで、側板５２に仕切板３の背面部３ｄが固定される。
【００２２】
以上説明してきた室外機１によれば、仕切板３の上端部３ｄａの第２傾斜面部３ｅには、側板５２の第１傾斜面部５５ａに形成されたネジ孔５５ｂに対応する位置にネジ挿通孔３ｆが形成されているので、ネジ孔５５ｂおよびネジ挿通孔３ｆを上方斜め方向から目視で確認してネジ止めすることができる。
これにより、ネジ孔５５ｂおよびネジ挿通孔３ｆが見易く、仕切板３、熱交換器５０の側板５２にばらつきがあっても、ネジ孔５５ｂとネジ挿通孔３ｆの位置合わせが簡単にでき、仕切板３を熱交換器５０の側板５２に固定する際、ネジ止めの作業性を向上させることができる。
なお、本実施例において、仕切板３の第２傾斜面部３ｅを背面部３ｄの上端部３ｄａに設けたが、仕切板３の第２傾斜面部３ｅを側板５２の第１傾斜面部５５ａとの相対的な位置に合わせて背面部３ｄのどこにあってもよい。
【００２３】
また、側板５２は、伝熱管取付部５４の第１下部５４ｂの幅Ｍを第１上部５４ａの幅Ｌよりも広く形成するとともに、第１フランジ５５の第２上部５５ｄと第２下部５５ｅとを繋ぐように第２上部５５ｄから第２下部５５ｅに向けて傾斜する第１傾斜面部５５ａを備えているので、熱交換器５０を支える側板５２の強度が確保される。
これにより、熱交換器５０が大型の場合であっても、側板５２により熱交換器５０を十分な強度で支えることができる。
【００２４】
さらに、仕切板３の上端部３ｄａに第２傾斜面部３ｅを備えていることで、室外機の組立作業を床に置いて行う場合であっても、仕切板３の高さ以下に目線を向けるために、膝を曲げ、腰を落とす必要なくネジ止め作業が可能になり、仕切板３を熱交換器５０の側板５２に固定する際、ネジ止めの作業性を向上させることができる。
また、熱交換器５０の側板５２に係止爪５５ｃが上方に突出するように形成されていることで、仕切板３の高さ以下に目線を向けるために、膝を曲げ、腰を落とす必要なく仕切板３の係止孔３ｇを係止爪５５ｃに係止することができる。
【符号の説明】
【００２５】
１：室外機、１０：筺体、１１：ベース、１２：背面パネル、１３：天板、１４：吹出口、１５：ファンガード、１６：吸気孔、１７：支柱、１８：吸込口、１９：ガード
２：前面パネル
３：仕切板、３ａ：第１平面部、３ｂ：第２平面部、３ｃ：前面側傾斜面部、３ｃａ：前端部、３ｄ：背面部、３ｄａ：上端部、３ｅ：第２傾斜面部、３ｆ：第２ネジ孔、３ｇ：係止孔、３ｈ：第３フランジ、３ｉ：切欠片、３ｊ：ネジ、３ｋ：上端部、３０：電装品箱支持板、３２：平面部、３３：延長面部、３４：フランジ、３５：前面側傾斜面部、３５ａ：前端部
４：機械室
５：送風機室、５０：熱交換器、５０ａ：機械室側の端部、５１：送風ファン、５２：側板、５３：伝熱管、５４：伝熱管取付部、５４ａ：第１上部、５４ｂ：第１下部、５５：第１フランジ、５５ａ：第１傾斜面部、５５ｂ：第１ネジ孔、５５ｃ：係止爪、５５ｄ：第２上部、５５ｅ：第２下部、５５ｅａ：左端部、５６：第２フランジ
６：電装品箱
７１：上取付板、７２：下取付板
【図１】
2015055464.tif 000003
【図２】
2015055464.tif 000004
【図３】
2015055464.tif 000005
【図４】
2015055464.tif 000006
【図５】
2015055464.tif 000007